(57)【要約】【課題】立体視眼鏡装置が画面を向いているか否かによって、映像や音声の出力を制御することが可能な立体視映像表示システムを提供する。【解決手段】実施形態の立体視映像表示システムは、映像出力部と、音声出力部と、立体視眼鏡装置と、検出部と、出力制御部と、を備える。前記映像出力部は、左眼用映像と右眼用映像とが交互に切り替わる立体視用映像を画面に出力する。前記音声出力部は、音声を出力する。前記立体視眼鏡装置は、前記立体視用映像用である。前記検出部は、前記立体視眼鏡装置が前記画面に向いているか否かを検出する。前記出力制御手段は、前記検出部の検出結果に応じて、前記映像出力部と前記音声出力部とのうちの少なくとも一方を制御する。【選択図】図１
2015039066.tif 000002
【特許請求の範囲】
【請求項１】
左眼用映像と右眼用映像とが交互に切り替わる立体視用映像を画面に出力する映像出力部と、
音声を出力する音声出力部と、
前記立体視用映像用の立体視眼鏡装置と、
前記立体視眼鏡装置が前記画面に向いているか否かを検出する検出部と、
前記検出部の検出結果に応じて、前記映像出力部と前記音声出力部とのうちの少なくとも一方を制御する出力制御手段と、
を備える立体視映像表示システム。
【請求項２】
前記出力制御手段は、前記立体視眼鏡装置が前記画面に向いていないことを前記検出部が検出した場合、前記映像出力部と前記音声出力部とのうちの少なくとも一方の出力を停止させ、前記立体視眼鏡装置が前記画面に向いたことを前記検出部が検出した場合、前記停止させた出力を停止前の状態に戻す請求項１に記載の立体視映像表示システム。
【請求項３】
前記出力制御手段は、前記立体視眼鏡装置が前記画面に向いていないことを前記検出部が検出した場合、当該検出時に対して前記映像出力部と前記音声出力部とのうちの少なくとも一方の出力を低下させた後に、当該出力を停止させる請求項２に記載の立体視映像表示システム。
【請求項４】
前記出力制御手段は、前記立体視眼鏡装置が前記画面に向いていないことを前記検出部が検出した場合、当該検出時に対して前記映像出力部と前記音声出力部とのうちの少なくとも一方の出力を低下させ、前記立体視眼鏡装置が前記画面に向いたことを前記検出部が検出した場合、前記低下させた出力を、低下させる前の状態に戻す請求項１に記載の立体視映像表示システム。
【請求項５】
前記映像出力部と前記音声出力部とのうちの少なくとも一方の出力は、前記映像出力部の出力を含み、
前記映像出力部の出力の低下は、前記立体視用映像の輝度の低下を含む請求項３または４に記載の立体視映像表示システム。
【請求項６】
前記映像出力部は、平面視用映像と前記立体視用映像とを選択的に出力可能であり、
前記出力制御手段は、前記立体視眼鏡装置が前記画面に向いていないことを前記検出部が検出した場合、前記映像出力部に前記平面視用映像を出力させ、前記立体視眼鏡装置が前記画面に向いたことを前記検出部が検出した場合、前記映像出力部に前記立体視用映像を表示させる請求項１に記載の立体視映像表示システム。
【請求項７】
前記映像出力部を有する立体視映像表示装置を備え、
前記検出部は、
前記立体視映像表示装置と前記立体視眼鏡装置とのうちの一方に設けられ、光を発する発光部と、
前記立体視映像表示装置と前記立体視眼鏡装置とのうちの他方に設けられ、前記発光部が発した光を受ける受光部と、
前記受光部の受光結果を用いて、前記立体視眼鏡装置が前記画面に向いているか否かを判定する判定手段と、
を有する請求項１ないし６のいずれか一項に記載の立体視映像表示システム。
【請求項８】
前記発光部は、前記立体視映像表示装置に設けられて、前記映像出力部の前方に向けて光り発し、
前記受光部は、前記立体視眼鏡装置に設けられて、前記立体視眼鏡装置の前方から届く光を受ける請求項７に記載の立体視映像表示システム。
【請求項９】
前記発光部は、前記立体視眼鏡装置に設けられて、前記立体視眼鏡装置の前方に向けて光を発し、
前記受光部は、前記立体視映像表示装置に設けられて、前記映像出力部の前方から届く光を受ける請求項７に記載の立体視映像表示システム。
【請求項１０】
前記出力制御手段が実行する前記制御の内容を設定する設定手段を備える請求項１ないし９のいずれか一項に記載の立体視映像表示システム。
【請求項１１】
前記制御の内容を規定した複数の制御モードから一つの選択を受け付ける受付手段を備え、
前記出力制御手段は、前記受付手段が受け付けた前記制御モードに応じて制御を実行する請求項１なしい１０のいずれか一項に記載の立体視映像表示システム。
【請求項１２】
左眼用映像と右眼用映像とが交互に切り替わる立体視用映像を画面に出力する映像出力部と、
音声を出力する音声出力部と、
前記立体視用映像用の立体視眼鏡装置が前記画面に向いているか否かを検出する検出部の検出結果に応じて、前記映像出力部と前記音声出力部とのうちの少なくとも一方を制御する出力制御手段と、
を備える立体視映像表示装置。
【請求項１３】
左眼用映像と右眼用映像とが交互に切り替わる立体視用映像を画面に出力する映像出力部と、音声を出力する音声出力部と、前記立体視用映像用の立体視眼鏡装置と、を備える立体視映像表示システムで実行される出力制御方法であって、
検出部が、前記立体視眼鏡装置が前記画面に向いているか否かを検出するステップと、
出力制御手段が、前記検出部の検出結果に応じて、前記映像出力部と前記音声出力部とのうちの少なくとも一方を制御するステップと、
を含む出力制御方法。
【発明の詳細な説明】
【技術分野】
【０００１】
本発明の実施形態は、立体視映像表示システム、立体視映像表示装置および出力制御方法に関する。
【背景技術】
【０００２】
従来、両眼の間隔に対応した視差を有する２種類の映像を用いることで、立体感のある映像をユーザに提供可能なテレビジョン放送受信装置等の立体視映像表示装置が存在している。係る立体視映像表示装置では、例えば、右眼用映像と左眼用映像とを交互に表示させ、この表示タイミングに基づいて、立体視眼鏡装置に設けられた左眼のシャッタ及び右眼のシャッタの開閉を制御することで、立体視眼鏡装置を装着したユーザに立体視映像を認識させている。
【０００３】
ところで、従来、平面視映像だけを出力する平面映像表示装置として、顔認識や瞼開閉検出手段が、ユーザが画面を見ていないと判定した場合に、画像や音声の出力を停止させることで、省エネルギーの実現を図るようにしたものが知られている。
【先行技術文献】
【特許文献】
【０００４】
【特許文献１】特開２０１０−１１０１５号公報
【発明の概要】
【発明が解決しようとする課題】
【０００５】
上記の立体視眼鏡装置および立体視映像表示装置を備えた立体視映像表示システムにおいても、人が画面を見ているかいないかによって、映像や音声の出力を制御できるようにすることが望まれている。
【０００６】
本発明は、上記に鑑みてなされたものであって、その目的は、立体視眼鏡装置が画面を向いているか否かによって、映像や音声の出力を制御することが可能な立体視映像表示システム、立体視映像表示装置および出力制御方法を提供することである。
【課題を解決するための手段】
【０００７】
実施形態の立体視映像表示システムは、映像出力部と、音声出力部と、立体視眼鏡装置と、検出部と、出力制御部と、を備える。前記映像出力部は、左眼用映像と右眼用映像とが交互に切り替わる立体視用映像を画面に出力する。前記音声出力部は、音声を出力する。前記立体視眼鏡装置は、前記立体視用映像用である。前記検出部は、前記立体視眼鏡装置が前記画面に向いているか否かを検出する。前記出力制御手段は、前記検出部の検出結果に応じて、前記映像出力部と前記音声出力部とのうちの少なくとも一方を制御する。
【図面の簡単な説明】
【０００８】
【図１】図１は、第１の実施形態に係る立体視映像表示システムを示す図であって、ユーザが画面を見ている状態を示す図である。
【図２】図２は、第１の実施形態に係るデジタルテレビジョン放送受信装置の構成を示す図である。
【図３】図３は、図２に示した合成処理部の構成を示す図である。
【図４】図４は、第１の実施形態に係る立体視眼鏡装置の構成を示す図である。
【図５】図５は、第１の実施形態に係る立体視映像表示システムを示す模式図であって、（ａ）は立体視眼鏡装置を装着したユーザが画面を見ている状態を示す図であり、（ｂ）は画面の前方からユーザがいなくなった状態を示す図である。
【図６】図６は、第１の実施形態に係るデジタルテレビジョン放送受信装置が実行する出力制御処理の流れを示すフローチャートである。
【図７】図７は、第１の実施形態の変形例に係る立体視映像表示システムを示す図であって、ユーザが画面を見ている状態を示す図である。
【図８】図８は、第２の実施形態にかかるデジタルテレビジョン放送受信装置の機能構成を示す図である。
【図９】図９は、第２の実施形態にかかるデジタルテレビジョン放送受信装置の表示画面に表示されるモード設定画面の一例を示す図である。
【発明を実施するための形態】
【０００９】
以下、図面を参照して、実施形態について詳細に説明する。なお、以下の複数の実施形態には、同様の構成要素が含まれている。よって、以下では、それら同様の構成要素には共通の符号を付与するとともに、重複する説明を省略する。
【００１０】
［第１の実施形態］
図１は、本実施形態に係る立体視映像表示システムを示す図であって、ユーザが画面を見ている状態を示す図である。立体視映像表示システム１は、立体視映像表示装置としてのデジタルテレビジョン放送受信装置１０と、立体視眼鏡装置３０と、を有している。この立体視映像表示システム１では、ユーザは、デジタルテレビジョン放送受信装置１０の画面に出力された立体視用映像を、立体視眼鏡装置３０を装着した状態で見ることで、立体視を体感することができる。
【００１１】
図２は、本実施形態に係るデジタルテレビジョン放送受信装置の構成を示す図である。デジタルテレビジョン放送受信装置１０は、通常の平面視（二次元）表示用の映像信号に基づく映像表示、及び、立体視（三次元）表示用の映像信号に基づく映像表示を行うことが可能な映像表示装置である。
【００１２】
アンテナ１１で受信したデジタルテレビジョン放送信号は、入力端子１０ａを介してチューナ部１２に供給されることにより、所望のチャンネルの放送信号が選局される。そして、このチューナ部１２で選局された放送信号は、復調復号部１３に供給されてデジタルの映像信号及び音声信号等に復元された後、信号処理部１４に出力される。
【００１３】
信号処理部１４は、復調復号部１３から供給されたデジタルの映像信号及び音声信号に対して、それぞれ所定のデジタル信号処理を施している。この信号処理部１４が行う所定のデジタル信号処理には、通常の平面視表示用の映像信号を立体視表示用の映像信号に変換する処理や、立体視表示用の映像信号を平面視表示用の映像信号に変換する処理等も含まれている。そして、信号処理部１４は、デジタルの映像信号を合成処理部１５に出力し、デジタルの音声信号を音声処理部１６に出力している。
【００１４】
このうち、合成処理部１５は、信号処理部１４から供給されるデジタルの映像信号に、ＯＳＤ（On  Screen  Display）信号生成部１７で生成されるＯＳＤ信号を重畳して出力している。この場合、合成処理部１５は、信号処理部１４から供給される映像信号が通常の平面視表示用の映像信号であれば、その映像信号にＯＳＤ信号生成部１７から供給されたＯＳＤ信号をそのまま重畳して出力している。
【００１５】
また、この合成処理部１５は、信号処理部１４から供給される映像信号が立体視表示用の映像信号である場合、詳細は後述するが、ＯＳＤ信号生成部１７から供給されたＯＳＤ信号に対して、入力された立体視表示用の映像信号に対応した立体視表示用の信号処理を施した後、そのＯＳＤ信号を入力映像信号に重畳して出力している。
【００１６】
そして、合成処理部１５から出力されたデジタルの映像信号は、映像処理部１８に供給される。映像処理部１８は、入力されたデジタルの映像信号を、後段の、例えば液晶表示パネル等を有する平面型の映像出力部１９で表示可能なフォーマットのアナログ映像信号に変換している。そして、この映像処理部１８から出力されたアナログ映像信号が、映像出力部１９に供給されて、映像出力部１９が映像を画面１９ａに出力する。映像出力部１９は、平面視用映像と立体視用映像とを選択的に出力（表示）可能である。
【００１７】
本体側通信部２０は、合成処理部１５に接続され、後述する眼鏡制御部１５９から出力された左眼用及び右眼用のシャッタ制御信号を各立体視眼鏡装置３０に送信する。なお、本体側通信部２０の通信方式は、特に問わず、例えば、Ｂｌｕｅｔｏｏｔｈ（登録商標）や赤外線通信方式、ＤＬＰ−ＬＩＮＫ（登録商標）方式等を用いることができる。
【００１８】
ここで、図３は、合成処理部１５の構成を示す図である。信号処理部１４から出力されるデジタルの映像信号は、入力端子１５ａを介して映像変換部１５１に供給される。映像変換部１５１は、入力された映像信号が立体視（三次元）表示用の映像信号である場合、その映像信号を特定の映像フォーマットに変換して、画質制御部１５２及び視差量抽出部１５３に出力している。
【００１９】
立体視表示用の映像信号には、１フレーム同期期間内で左眼用映像フレーム後に右眼用映像フレームを送出するフレームパッキング方式や、１水平期間内で左眼用映像ライン後に右眼用映像ラインを送出するサイドバイサイド方式等、様々な映像フォーマットが存在する。さらに、各映像フォーマットの中でも、映像のサイズや走査方式（インタレース／プログレッシブ）等が種々存在する。
【００２０】
このため、本実施形態では、映像変換部１５１が、入力された立体視表示用の映像信号に対して、スケーリング処理やＩＰ（Interlace／Progressive）変換処理等の処理を施すことにより、所定の映像サイズ（例えば、水平方向１９２０画素×垂直方向１０８０ライン）のフレームパッキング方式の映像フォーマットに変換し、垂直同期信号に同期させて画質制御部１５２及び視差量抽出部１５３に出力するものとする。
【００２１】
このうち、画質制御部１５２は、入力された映像信号に対して、制御部２２の制御に基づいた明るさ調整、コントラスト調整及び色相調整等の画質調整処理を施し、垂直同期信号に同期させて合成部１５４に出力している。
【００２２】
また、上記視差量抽出部１５３は、映像変換部１５１により、フレームパッキング方式の映像フォーマットに変換された立体視表示用の映像信号に対して、その左眼用映像フレームと右眼用映像フレームとの間の映像の比較を行ない、視差量を抽出している。
【００２３】
この視差量抽出部１５３による視差量の抽出処理は、左眼用映像フレームに表示されている物体の位置を基準として、右眼用映像フレームに表示されている同じ物体の左右方向の位置ずれを、画素数で示すことによって行なわれる。この視差量抽出処理は、連続するフレームで表示される同じ物体の動き位置を検出するための動きベクトルの技術を利用することで容易に実現することができる。具体的には、画面上で水平方向に配列された画素に、左側から右側に向けて番号を振り、左眼用映像フレームに表示されている或る物体の所定位置の画素の番号から、右眼用映像フレームに表示されているその物体の同じ所定位置の画素の番号を減算することにより、視差量を画素数で示すことができる。
【００２４】
この場合、視差量が負値のときは、左眼用映像より右眼用映像が右側に存在することになり、その物体は画面よりも奥側で結像される映像となる。また、視差量が正値のときは、左眼用映像より右眼用映像が左側に存在することになり、その物体は画面よりも手前で結像される映像となる。
【００２５】
また、視差量抽出部１５３は、入力端子１５ｂを介して入力される制御部２２からの制御信号に応じて、上述した視差量の値をゼロ値に切り替える。ここで、視差量がゼロ値の状態は、左眼用映像及び右眼用映像はともに同位置となり、画面上に結像される映像、即ち平面視（二次元）映像となる。
【００２６】
そして、視差量抽出部１５３によって抽出された視差量は、ＯＳＤ位置算出部１５５に供給される。このＯＳＤ位置算出部１５５は、入力された視差量に基づいて、ＯＳＤを立体視表示させる際の表示位置を補正する計算を行ない、その計算結果を示す視差制御信号を出力している。
【００２７】
具体的に、ＯＳＤ位置算出部１５５は、視差量抽出部１５３で抽出された視差量が時間軸方向の変動がない状態、または、視差量が時間軸方向に緩やかに変動している映像表示状態のときに、ＯＳＤを立体視表示させる際の表示位置を補正する計算を実行する。すなわち、視差量が時間軸方向に激しく変動している場合は、映像が奥行き方向に激しく動いている状態であり、この状態ではユーザは映像に意識が向いているため、重畳するＯＳＤも奥行き方向に激しく動くと見苦しくなるからである。このため、ＯＳＤ位置算出部１５５は、視差量が激しく変動している状態では、視差量の変動がすくないときに算出した結果を示す視差制御信号を出力している。なお、視差量がゼロ値の状態では、表示位置の補正は行わないものとする。
【００２８】
そして、このＯＳＤ位置算出部１５５から出力される視差制御信号は、ＯＳＤ立体変換部１５６に供給される。このＯＳＤ立体変換部１５６には、上記ＯＳＤ信号生成部１７から出力されるＯＳＤ信号が、入力端子１５ｃを介して供給されている。このＯＳＤ立体変換部１５６は、視差制御信号に基づいて、入力されたＯＳＤ信号から、左眼用映像フレームに重畳する左眼用ＯＳＤ信号と、右眼用映像フレームに重畳する右眼用ＯＳＤ信号とを生成し、ＯＳＤバッファ１５７に出力し記憶させている。
【００２９】
そして、合成部１５４で合成された映像信号は、フレーム変換部１５８に供給され、垂直同期周波数が２倍に変換されて、つまり、フレーム周波数が倍速化された後、出力端子１５ｄから上記映像処理部１８を介して映像出力部１９に出力される。これにより、映像出力部１９が、左眼用映像と右眼用映像とが交互に切り替わる立体視用映像を画面１９ａに出力する。
【００３０】
また、上記フレーム変換部１５８で生成されるフレーム同期信号は、眼鏡制御部１５９に供給される。眼鏡制御部１５９は、フレーム変換部１５８から供給されたフレーム同期信号に同期して左眼用及び右眼用のシャッタ制御信号を生成し、出力端子１５ｅから本体側通信部２０を介して立体視眼鏡装置３０に出力する。
【００３１】
図２に戻り、音声処理部１６は、信号処理部１４から入力されたデジタルの音声信号を、後段のスピーカ（音声出力部）２１で再生可能なフォーマットのアナログ音声信号に変換する。そして、この音声処理部１６から出力されたアナログ音声信号が、スピーカ２１に供給されることにより、スピーカ２１が音声を再生出力する。
【００３２】
また、図１および図２に示すように、デジタルテレビジョン放送受信装置１０には、発光部としての赤外線発光装置６１が設けられている。赤外線発光装置６１は、デジタルテレビジョン放送受信装置１０の筐体１０ａに固定されている。赤外線発光装置６１は、デジタルテレビジョン放送受信装置１０の上端部であって、当該装置１０の左右方向での中央部に配置され、映像出力部１９の画面１９ａの上方に位置している。この赤外線発光装置６１は、映像出力部１９における画面１９ａの前方に向けて赤外線（光）を発する。この赤外線発光装置６１は、後述する立体視眼鏡装置３０の赤外線センサ６２および判定部６３とによって、検出部６０を構成している。検出部６０は、立体視眼鏡装置３０がデジタルテレビジョン放送受信装置１０の映像出力部１９の画面１９ａに向いているか否かを検出するものである。
【００３３】
ここで、デジタルテレビジョン放送受信装置１０では、上記した各種の受信動作を含むその全ての動作が制御部２２によって統括的に制御されている。この制御部２２は、ＣＰＵ（Central  Processing  Unit）２２ａを内蔵しており、デジタルテレビジョン放送受信装置１０の本体に設置された操作部２３からの操作情報を受けて、または、リモートコントローラ４０から送出され受信部２４で受信した操作情報を受けて、その操作内容が反映されるように各部をそれぞれ制御している。また、この制御部２２は、検出部６０の検出結果に応じて、映像出力部１９とスピーカ２１とのうちの少なくとも一方を制御する。
【００３４】
この場合、制御部２２は、メモリ部２２ｂを利用している。このメモリ部２２ｂは、主として、ＣＰＵ２２ａが実行する制御プログラムを格納したＲＯＭ（Read  Only  Memory）と、該ＣＰＵ２２ａに作業エリアを提供するためのＲＡＭ（Random  Access  Memory）と、各種の設定情報及び制御情報等が格納される不揮発性メモリとを有している。
【００３５】
また、制御部２２には、ディスクドライブ部２５が接続されている。このディスクドライブ部２５は、例えばＤＶＤ（Digital  Versatile  Disk）等の光ディスクＭを着脱自在とするもので、装着された光ディスクＭに対してデジタルデータの記録再生を行なう機能を有している。
【００３６】
そして、制御部２２は、ユーザによる操作部２３やリモートコントローラ４０の操作に基づいて、上記復調復号部１３から得られるデジタルの映像信号及び音声信号を、記録再生処理部２６によって暗号化し所定の記録フォーマットに変換した後、ディスクドライブ部２５に供給して光ディスクＭに記録させるように制御することができる。
【００３７】
また、制御部２２は、ユーザによる操作部２３やリモートコントローラ４０の操作に基づいて、ディスクドライブ部２５により光ディスクＭからデジタルの映像信号及び音声信号を読み出させ、上記記録再生処理部２６によって復号化した後、信号処理部１４に供給することによって、以後、上記した映像表示及び音声再生に供させるように制御することができる。
【００３８】
さらに、制御部２２には、ＨＤＤ（Hard  Disk  Drive）２７が接続されている。制御部２２は、ユーザによる操作部２３やリモートコントローラ４０の操作に基づいて、上記復調復号部１３から得られるデジタルの映像信号及び音声信号を、記録再生処理部２６によって暗号化し所定の記録フォーマットに変換した後、ＨＤＤ２７に記録させるように制御することができる。
【００３９】
また、制御部２２は、ユーザによる操作部２３やリモートコントローラ４０の操作に基づいて、ＨＤＤ２７からデジタルの映像信号及び音声信号を読み出させ、上記記録再生処理部２６によって復号化した後、信号処理部１４に供給することによって、以後、上記した映像表示及び音声再生に供させるように制御することができる。
【００４０】
さらに、上記デジタルテレビジョン放送受信装置１０には、入力端子１０ｂが接続されている。この入力端子１０ｂは、デジタルテレビジョン放送受信装置１０の外部からデジタルの映像信号及び音声信号を直接入力するためのものである。この入力端子１０ｂを介して入力されたデジタルの映像信号及び音声信号は、制御部２２の制御に基づいて、記録再生処理部２６を介した後、信号処理部１４に供給されて、以後、上記した映像表示及び音声再生に供される。
【００４１】
また、この入力端子１０ｂを介して入力されたデジタルの映像信号及び音声信号は、制御部２２の制御に基づいて、記録再生処理部２６を介した後、ディスクドライブ部２５による光ディスクＭに対しての記録再生や、ＨＤＤ２７に対しての記録再生に供される。
【００４２】
なお、制御部２２は、ユーザによる操作部２３やリモートコントローラ４０の操作に基づいて、ディスクドライブ部２５とＨＤＤ２７との間で、光ディスクＭに記録されているデジタルの映像信号及び音声信号をＨＤＤ２７に記録したり、ＨＤＤ２７に記録されているデジタルの映像信号及び音声信号を光ディスクＭに記録したりすることも制御している。
【００４３】
また、制御部２２には、ネットワークインタフェース２８が接続されている。このネットワークインタフェース２８は、外部のネットワークＮに接続されている。そして、ネットワークインタフェース２８はネットワークＮを介し、図示しない外部装置との間で通信を行う。このため、制御部２２は、ネットワークインタフェース２８を介し、ネットワークＮに接続された外部装置にアクセスして情報通信を行なうことにより、そこで提供しているサービスを利用することができるようになっている。
【００４４】
次に、図４を参照して、立体視眼鏡装置３０について説明する。図４は、本実施形態に係る立体視眼鏡装置３０の構成を示す図である。
【００４５】
立体視眼鏡装置３０は、デジタルテレビジョン放送受信装置１０の映像出力部１９が出力する立体視用映像用である。詳細には、立体視眼鏡装置３０は、左眼用映像の出力及び非出力に同期して左眼の視界を解放及び遮蔽するとともに、右目用映像の出力及び非出力に同期して右眼の視界を解放及び遮蔽する。図４に示すように、立体視眼鏡装置３０は、液晶シャッタ眼鏡３１と、眼鏡側通信部３２と、シャッタ駆動部３４と、受光部としての赤外線センサ６２と、判定部（判定手段）６３と、備えている。この立体視眼鏡装置３０は、電池などの電源３７を搭載しており、この電源３７から供給される電力によって動作する。
【００４６】
液晶シャッタ眼鏡３１は、左眼の視界を開放又は遮蔽するための左眼液晶シャッタ（Ｌシャッタ）３１１と、右眼の視界を開放又は遮蔽するための右眼液晶シャッタ（Ｒシャッタ）３１２とを有している。ユーザは、この液晶シャッタ眼鏡３１（立体視眼鏡装置３０）を装着して、交互に表示される左眼用の画像と右眼用の画像とを左眼と右眼とで交互に鑑賞することにより、立体視を体感する。
【００４７】
眼鏡側通信部３２は、本体側通信部２０の送信方式に対応した受信装置であって、デジタルテレビジョン放送受信装置１０の本体側通信部２０から送信された左眼用及び右眼用のシャッタ制御信号を受信する。
【００４８】
シャッタ駆動部３４は、制御部３５から入力される制御信号に従い、Ｌシャッタ３１１及びＲシャッタ３１２を開閉することで、デジタルテレビジョン放送受信装置１０に表示される映像（光）の透過状態と不透過状態を実現する。
【００４９】
赤外線センサ６２は、本実施形態では２つ設けられている。これらの赤外線センサ６２は、図１に示すように、立体視眼鏡装置３０の左右方向で相互に離間して配置されている。各赤外線センサ６２は、液晶シャッタ眼鏡３１のフレーム３１ａに固定されている。各赤外線センサ６２は、立体視眼鏡装置３０の前後方向での前方から届く赤外線（光）を受ける。この赤外線センサ６２は、赤外線の受光結果を判定部６３に入力する。
【００５０】
図４に戻って、判定部６３は、受光部である赤外線センサ６２の受光結果を用いて、立体視眼鏡装置３０がデジタルテレビジョン放送受信装置１０における映像出力部１９の画面１９ａに向いているか否かを判定する。判定部６３は、例えば、各赤外線センサ６２が受光する赤外線の強度（光の強さ）が規定値以上の場合には、立体視眼鏡装置３０が画面１９ａに向いていると判定し、各赤外線センサ６２が受光する赤外線の強度が規定値を下回った場合には、立体視眼鏡装置３０は画面１９ａに向いていないと判定する。なお、判定部６３による立体視眼鏡装置３０がデジタルテレビジョン放送受信装置１０における映像出力部１９の画面１９ａに向いているか否かの判定方法は、上記のものに限るものではなく、例えば、三角測量法の原理を用いた方法を適用してもよい。また、この判定部６３は、ハードウェア（回路）だけで構成してもよいし、プログラムに従って動作するＣＰＵなどを用いて構成してもよい。
【００５１】
制御部３５は、上記各部の動作を統括的に制御している。この制御部３５は、ＣＰＵ３５ａやメモリ部３５ｂを内蔵している。メモリ部３５ｂは、主として、ＣＰＵ３５ａが実行する制御プログラムを格納したＲＯＭと、ＣＰＵ３５ａに作業エリアを提供するためのＲＡＭと、各種の設定情報及び制御情報等が格納される不揮発性メモリとを有している。
【００５２】
制御部３５は、眼鏡側通信部３２から入力される左眼用及び右眼用のシャッタ制御信号に基づいて、Ｌシャッタ３１１及びＲシャッタ３１２の開閉を制御する。具体的には、制御部３５は、シャッタ制御信号に基づき、左眼用映像の出力及び非出力に同期して、Ｌシャッタ３１１に、左眼の視界を解放及び遮蔽させるとともに、右目用映像の出力及び非出力に同期して、Ｒシャッタ３１２に、右眼の視界を解放及び遮蔽させる。また、制御部３５は、判定部６３から入力された判定部６３の判定結果を、眼鏡側通信部３２を用いて、デジタルテレビジョン放送受信装置１０の本体側通信部２０に送信する。
【００５３】
次に、本実施形態の立体視映像表示システムにおいて、デジタルテレビジョン放送受信装置１０のＣＰＵ２２ａが実行する出力制御処理について説明する。
【００５４】
この出力制御処理では、ＣＰＵ２２ａは、プログラムに従うことにより、出力制御部（出力制御手段）２２ｃとして動作する。出力制御部２２ｃは、検出部６０の検出結果に応じて、映像出力部１９と音声出力部であるスピーカ２１とのうちの少なくとも一方を制御するものである。出力制御部２２ｃは、以下に説明する制御のうちの１以上を行う。なお、本実施形態では、以下の制御のうちのどの制御を行うかは、予め設定されている。
【００５５】
出力制御部２２ｃは、制御の一例として、立体視眼鏡装置３０が画面１９ａに向いていないことを検出部６０が検出した場合、映像出力部１９とスピーカ２１とのうちの少なくとも一方の出力を停止させ、立体視眼鏡装置３０が画面１９ａに向いたことを検出部６０が検出した場合、前記停止させた出力を停止前の状態に戻す。
【００５６】
例えば、出力制御部２２ｃは、立体視眼鏡装置３０が画面１９ａに向いていないことを検出部６０が検出した場合、映像出力部１９の映像出力（表示）を停止させ、立体視眼鏡装置３０が画面１９ａに向いたことを検出部６０が検出した場合、映像出力部１９の映像出力を元に戻す。また、出力制御部２２ｃは、立体視眼鏡装置３０が画面１９ａに向いていないことを検出部６０が検出した場合、スピーカ２１の音声出力を停止させ、立体視眼鏡装置３０が画面１９ａに向いたことを検出部６０が検出した場合、スピーカ２１の音声出力を元に戻す。
【００５７】
また、出力制御部２２ｃは、制御の一例として、立体視眼鏡装置３０が画面１９ａに向いていないことを検出部６０が検出した場合、当該検出時に対して映像出力部１９とスピーカ２１とのうちの少なくとも一方の出力を低下させ、立体視眼鏡装置３０が画面１９ａに向いたことを検出した場合、低下させた出力を、低下させる前の状態に戻す。
【００５８】
例えば、出力制御部２２ｃは、立体視眼鏡装置３０が画面１９ａに向いていないことを検出部６０が検出した場合、当該検出時に対して映像出力部１９の出力を低下させ、立体視眼鏡装置３０が画面１９ａに向いたことを検出した場合、映像出力部１９の出力を元に戻す。ここで、例えば、映像出力部１９の出力の低下は、立体視用映像の輝度の低下を含む。また、出力制御部２２ｃは、立体視眼鏡装置３０が画面に向いていないことを検出部６０が検出した場合、スピーカ２１の音声出力（音量）を低下させ、立体視眼鏡装置３０が画面１９ａに向いたことを検出部６０が検出した場合、スピーカ２１の音声出力（音量）を元に戻す。なお、このような処理の際、立体視眼鏡装置３０が画面１９ａに向いていないことを検出部６０が検出した場合、当該検出時に対して映像出力部１９とスピーカ２１とのうちの少なくとも一方の出力を規定時間だけ低下させた後に、当該出力を停止させるようにして良い。つまり、立体視眼鏡装置３０が画面１９ａに向いていないことを検出部６０が検出してから、しばらくして映像出力部１９やスピーカ２１の出力を停止させても良い。さらには、立体視眼鏡装置３０が画面１９ａに向いていないことを検出部６０が検出した後、瞬時に映像出力部１９やスピーカ２１の出力の制御（停止や低下）を開始しても良いし、規定時間後にそれらの制御を開始してもよい。
【００５９】
また、出力制御部２２ｃは、制御の一例として、立体視眼鏡装置３０が画面１９ａに向いていないことを検出部６０が検出した場合、映像出力部１９に平面視用映像を出力させ、立体視眼鏡装置３０が画面１９ａに向いたことを検出部６０が検出した場合、映像出力部１９に立体視用映像を表示させる。即ち、出力制御部２２ｃは、検出部６０の検出結果に応じて、立体視用映像および平面視用映像の出力の切り替えを行う。
【００６０】
次に、出力制御処理の流れを説明する。本実施形態の立体視眼鏡装置３０の動作について説明する。ここで、図５は、本実施形態に係る立体視映像表示システムを示す模式図であって、図５（ａ）は立体視眼鏡装置を装着したユーザが画面を見ている状態を示す図であり、図５（ｂ）は画面の前方からユーザが居なくなった状態を示す図、図６は、本実施形態に係るデジタルテレビジョン放送受信装置の制御部が実行する出力制御処理の流れを示すフローチャートである。
【００６１】
本処理の前提として、デジタルテレビジョン放送受信装置１０の映像出力部１９には立体視映像が表示されているものとする。また、以下では、図５に示すように、立体視眼鏡装置３０を装着したユーザが画面１９ａを見ている状態から画面１９ａ前からいなくなった場合を、図６のフローチャートに沿って説明する。
【００６２】
まず、立体視眼鏡装置３０のＣＰＵ２２ａは、立体視眼鏡装置３０の状態（向き）を監視する（ステップＳ１）。この監視は、検出部６０の判定部６３から送信された検出結果を確認することでなされる。ＣＰＵ２２ａは、検出部６０の判定部６３の検出結果に変化が有るまで監視を続ける（ステップＳ２のＮｏ）。
【００６３】
ＣＰＵ２２ａは、検出部６０の判定部６３の検出結果に変化が有り（ステップＳ２のＹｅｓ）、その変化が、ユーザが画面１９ａを見なくなったことを示すものである場合、即ち、検出部６０の検出結果が、立体視眼鏡装置３０は画面１９ａを見ていないという検出結果であった場合（ステップＳ３のＹｅｓ）、ステップＳ４に進み、上述したように映像出力部１９の出力やスピーカ２１の出力を停止や低下させる。なお、この際の制御は、映像出力部１９の立体視用映像から平面視用映像出力への出力の切り替えであってもよい。
【００６４】
そして、ＣＰＵ２２ａは、検出部６０の判定部６３の検出結果に変化が有った場合（ステップ２のＹｅｓ）であって、その変化が、ユーザが画面１９ａを見るようになったことを示すものである場合、即ち、検出部６０の検出結果が、立体視眼鏡装置３０が画面１９ａを見ているという検出結果であった場合（ステップＳ３のＮｏ）、ステップＳ５に進み、上述したように映像出力部１９の出力やスピーカ２１の出力を元に戻す。
【００６５】
以上説明したように、本実施形態によれば、出力制御部２２ｃが、検出部６０の検出結果に応じて、映像出力部１９とスピーカ２１とのうちの少なくとも一方を制御する。したがって、立体視眼鏡装置３０が画面１９ａを向いているか否かによって、映像や音声の出力を制御することが可能である。これにより、ユーザの視聴状態にリアルタイムに追従しての高度な省エネルギー効果を得ることができる。また、このように、映像出力部１９やスピーカ２１の出力の切替が自動で行われるので、ユーザは、画面１９ａから離れる際等に、それらの出力の切替操作を行う必要がない。よって、ユーザの操作負担を低減させることができる。
【００６６】
また、本実施形態では、出力制御部２２ｃは、立体視眼鏡装置３０が画面１９ａに向いていないことを検出部６０が検出した場合、映像出力部１９に平面視用映像を出力させ、立体視眼鏡装置３０が画面１９ａに向いたことを検出部６０が検出した場合、映像出力部１９に立体視用映像を表示させることが可能である。したがって、ユーザが立体視眼鏡装置３０を装着して立体視用映像の視聴準備ができている場合には、映像出力部１９に立体視用映像が出力され、ユーザが立体視眼鏡装置３０を装着していない状態で立体視用映像の視聴準備ができていない場合には、映像出力部１９に平面視用映像が出力させることが可能である。つまり、ユーザの状態に応じて、立体視用映像と平面視用映像との切替が自動で行われるので、ユーザが立体視用映像と平面視用映像との切替操作を行う必要がない。よって、ユーザの操作負担を低減させることができる。
【００６７】
また、本実施形態では、出力制御部２２ｃは、立体視眼鏡装置３０が画面１９ａに向いていないことを検出部６０が検出した場合、映像出力部１９の出力を停止または低下させ、スピーカ２１の出力を変更させないことが可能である。したがって、画面１９ａを凝視せずに料理等をしながら音声だけを聞くというユーザに対して、音声を届けながら、映像出力部１９の出力を停止や低下させることによる省エネルギー効果を得ることができる。
【００６８】
次に、本実施形態の変形例にかかる立体視映像表示システムを図７を参照して説明する。ここで、図７は、本実施形態の変形例に係る立体視映像表示システムを示す図であって、ユーザが画面を見ている状態を示す図である。
【００６９】
本変形例では、検出部６０の赤外線発光装置６１は、立体視眼鏡装置３０に設けられて、立体視眼鏡装置３０の前方に向けて赤外線を発する。一方、赤外線センサ６２は、デジタルテレビジョン放送受信装置１０に設けられて、映像出力部１９の前方から届く赤外線を受ける。
【００７０】
［第２の実施形態］
次に、本実施形態について図説明する。ここで、図８は、本実施形態にかかるデジタルテレビジョン放送受信装置の機能構成を示す図、図９は、本実施形態にかかるデジタルテレビジョン放送受信装置の表示画面に表示されるモード設定画面の一例を示す図である。
【００７１】
本実施形態では、デジタルテレビジョン放送受信装置１０のＣＰＵ２２ａが行う出力制御処理のモードとして、複数の制御モードがあり、ユーザの操作によって、複数の制御モードのうちの一つを選択的に設定可能となっている。
【００７２】
制御モードとしては、例えば、お休みモード（第１のモード）や食事準備モード（第２のモード）、ユーザ設定モード（第３のモード）等がある。お休みモードは、例えば、立体視眼鏡装置３０が画面１９ａに向いていないことを検出部６０が検出した場合、映像出力部１９とスピーカ２１との出力を段階的に低下させ、規定時間後に、映像出力部１９とスピーカ２１との出力を停止させるモードである。また、食事準備モードは、例えば、立体視眼鏡装置３０が画面１９ａに向いていないことを検出部６０が検出した場合、映像出力部１９の出力を停止または低下させる一方、スピーカ２１の出力は変化させないモードである。ユーザ設定モードは、ユーザの操作に応じて制御の内容を設定したモードである。なお、ＣＰＵ２２ａは、各モードとも、立体視眼鏡装置３０が画面１９ａに向いたことを検出部６０が検出した場合、停止や低下させた出力を停止前の状態に戻す。
【００７３】
また、本実施形態では、デジタルテレビジョン放送受信装置１０のＣＰＵ２２ａは、プログラムに従うことにより、出力制御部２２ｃの他に、設定部（設定手段）２２ｄ、および受付部（受付手段）２２ｅとして機能する。
【００７４】
設定部２２ｄは、出力制御部２２ｃが実行する制御の内容を設定するものである。ここで、本実施形態では、リモートコントローラ４０に、ユーザモード設定ボタンが設けられている。そして、このユーザ設定ボタンが押下操作されると、設定部２２ｄは、図９に示すモード設定画面４００を映像出力部１９に表示させる。
【００７５】
モード設定画面４００は、ユーザ設定モードの内容を入力を受け付ける画面であり、「映像」という項目に「停止」のチェックボックス４００ａ、「輝度」という項目に「低下」、「停止」のチェックボックス４００ａ、「音声」という項目に「低下」、「停止」というチェックボックス４００ａ、「３Ｄ→２Ｄ」という項目に「変更」のチェックボックス４００ａが設けられている。また、「切替タイミング」という項目に「直ぐ」、「１分後」、「５分後」等のチェックボックス４００ａが設けられている。これらのチェックボックス４００ａがリモートコントローラ４０のボタン操作によって選択されることで、ユーザ設定モードの内容が、その選択された内容に設定される。詳細には、選択された「停止」や「低下」のチェックボックス４００ａに対応する出力部（映像出力部１９やスピーカ２１）の出力が、立体視眼鏡装置３０が画面１９ａに向いていないことを検出部６０が検出した場合に、「停止」や「低下」されるようになる。また、「切替タイミング」に対して設けられた「直ぐ」、「１分後」、「５分後」等のチェックボックス４００ａは、リモートコントローラ４０のボタン操作によっていずれか一つが選択可能となっており、立体視眼鏡装置３０が画面１９ａに向いていないことを検出部６０が検出した場合に、その選択されたタイミングで、出力部（映像出力部１９やスピーカ２１）の出力が、「停止」や「低下」されるようになる。
【００７６】
受付部２２ｅは、出力制御部２２ｃが実行する制御の内容を規定した複数の制御モード（お休みモードや食事準備モード、ユーザ設定モード）から一つの選択を受け付けるものである。ここで、本実施形態では、例えば、リモートコントローラ４０に、お休みモード、食事準備モード、ユーザ設定モードに対するボタンが設けられている。そして、受付部２２ｅは、それらのボタンのうちの一つがユーザに押下操作されることで、その押下操作されたボタンに対応する制御モードを受け付ける。このようにして、受付部２２ｅが受け付けた制御モードに応じて、出力制御部２２ｃが、制御を実行するようになっている。
【００７７】
以上、第１及び第２の実施形態を説明したが、本発明は上記各実施形態そのままに限定されるものではなく、実施段階ではその要旨を逸脱しない範囲で構成要素を変形して具体化することができる。また、上記各実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせてもよい。
【００７８】
例えば、上記実施形態では、本発明を液晶シャッタ方式の立体視映像表示装置及び立体視眼鏡装置に適用した例について説明したが、これに限らず、ユーザの左眼及び右眼の視界を、個別に開放又は遮蔽することが可能な方式であれば、他の方式の立体視映像表示装置及び立体視眼鏡装置に適用してもよい。
【００７９】
また、上記実施形態では、検出部の例として、赤外線発光装置、赤外線センサおよび判定部を備えるものを説明したが、これに限るものはない。検出部は、例えば、立体視映像表示装置または立体視眼鏡装置に設けられたＣＣＤカメラと、ＣＣＤカメラの映像を解析して立体視眼鏡装置が立体視映像表示装置の映像出力部の画面に向いているか否かを検出する検出部と、を備えるものであってもよい。
【００８０】
また、出力制御部は、立体視眼鏡装置が画面に向いていることを検出部が検出している場合であっても、立体視眼鏡装置が規定時間の間変位しない場合には、映像出力部とスピーカとのうちの少なくとも一方の出力を停止させたり低下させたりするようにしてもよい。この場合、立体視眼鏡装置が変位しているか否かの判定は、検出部の判定部が行う。
【００８１】
以上説明したとおり、上記各実施形態によれば、立体視眼鏡装置が画面を向いているか否かによって、映像や音声の出力を制御することが可能である。
【符号の説明】
【００８２】
１…立体視映像表示システム
１０…デジタルテレビジョン放送受信装置（立体視映像表示装置）
１９ａ…画面
１９…映像出力部
２１…スピーカ（音声出力部）
２２ｃ…出力制御部（出力制御手段）
２２ｄ…設定部
２２ｅ…受付部（受付部）
３０…立体視眼鏡装置
３３…判定部
６０…検出部
６１…赤外線発光装置（発光部）
６２…赤外線センサ（受光部）
６３…判定部（判定手段）
【図１】
2015039066.tif 000003
【図２】
2015039066.tif 000004
【図３】
2015039066.tif 000005
【図４】
2015039066.tif 000006
【図５】
2015039066.tif 000007
【図６】
2015039066.tif 000008
【図７】
2015039066.tif 000009
【図８】
2015039066.tif 000010
【図９】
2015039066.tif 000011